(57)【要約】【課題】身長の低い子供の手を引いて散歩するときにハンカチの両側の穴を両者の手で握るので大人は腰を曲げないですむこと、レジ袋の取手の部分は細く吊り下げて持ち帰るとき、取手の部分で手は痛いのでハンカチを通してハンカチの両側の穴を握ること、日除けとするにハンカチの両側の穴より両腕を通すこと、ハンカチの両側の穴に腕を通して汗拭きとなるハンカチを提供することを目的とする。【解決手段】本考案では、正方形又は長方形の白いハンカチであって、ハンカチ５０の対角線上の両端に、大人の腕が通る穴５１、５２を形成してなる構成である。【選択図】図１
0003155451.tif 000002
【実用新案登録請求の範囲】
【請求項１】
正方形又は長方形の白いハンカチであって、ハンカチ（５０）の対角線上の両端に、大人の腕が通る穴（５１、５２）を形成してなる構成であることを特徴とするハンカチ。
【考案の詳細な説明】
【技術分野】
【０００１】  本考案は、身長の低い子供の手を引いて散歩するときにハンカチの両側の穴を両者の手で握るので大人は腰を曲げないですむこと、レジ袋の取手の部分は細く吊り下げて持ち帰るとき、取手の部分で手は痛いのでハンカチを通してハンカチの両側の穴を握ること、日除け用とするにハンカチの両側の穴より両腕を通すこと、ハンカチの両側の穴に腕を通して汗拭きとなるハンカチに関する。
【背景技術】
【０００２】  従来からハンカチは、折りたたんでポケットに忍ばせ汗などをかいたとき汗を拭うとき、お手洗での手拭のとき使用されている。背広の胸にハンカチを挿しアクセントしても使用されている。先行技術文献では、窓にくっつけて日よけ布となるようにした携帯日よけ布と、タオルにおいては握力が不十分な子供や女性や高齢者や身障者であっても、容易にタオルを使用して背中を洗ったり水分をふき取ったりすることができるようにタオルの両端に穴やスリットが設けられているもの、同様に実用新案登録公報では、タオルの両端に手が通る程度の孔が設けられている。
【先行技術文献】
【０００３】
【特許文献１】  特開２００８−７９２０号  公報
【特許文献２】  特開平２−１１５５０８号  公報
【特許文献３】  実用新案登録第３１１９０２４号  公報
【考案の概要】
【考案が解決しようとする課題】
【０００４】  以上に述べた文献にある従来の布は、ハンカチ、スカーフ、ナフキン、ふろしきであって、布の上部の左右に吸着面を設けてある。布を固定する箇所があることを前提としている。布を日除け用に使用する為には、布を固定する箇所が必要となる。
そこで、布を固定する箇所を必要としないハンカチであって、直接使用した状態で日除け用となり、汗拭きにも使用できる構成のハンカチを提供する。【０００５】  また文献にあるのは、ハンカチではなく従来のタオルの両端に穴やスリットが設けられているものである。それは握力が不十分な子供や女性や高齢者や身障者であっても、容易にタオルを使用して背中を洗ったり水分をふき取ったりすることができるタオルである。
実用新案公報においても、タオルの両端に手が通る程度の孔を設けてある。
両側に穴を設けたタオルを使用して、身長の低い子供の手を引いて散歩するときにタオルの両側の穴を両者の手で握ると、大人は腰を曲げないですむがタオルであるので大人と子供の距離が離れすぎる。大人が子供に対して、とっさの防御が取り難い。
そこで、大人と子供が使用して大人が背中を曲げることなく、大人が子供のとっさの行動を防御できる構成のハンカチを提供する。【０００６】  レジ袋とは、コンビニエンスストアやスーパーマーケット等の小売店において、購入した持ち帰り商品を入れるためにレジで渡されるビニールやポリオレフィン等の材質で作られた袋を指す通称で買物袋の一種である。
レジ袋の取手の部分は細く吊り下げて持ち帰ると、レジ袋の取手の部分で手は痛い目にあうのでタオルを通してタオルの両側の穴を握ることができるがタオルが長すぎてレジ袋の底面が地面を擦ることになる。
そこで、レジ袋の取手の部分に使用して手は痛い目に合わないで、レジ袋の底面が地面を擦ることがない構成のハンカチを提供する。【０００７】  提供するハンカチは、使用するハンカチの加工が簡単で、ハンカチの両側の穴より両腕を通し自動車運転時の日除け用としても利用できる。日除け用のハンカチは、日光を反射する白色のほうが望ましい。ハンカチの両側の穴に腕に通して状態で汗拭きとして使用できること、身長の低い子供の手を引いて散歩するときにハンカチの両側の穴を両者の手で握るので大人は腰を曲げないですむこと、レジ袋の取手の部分にハンカチを通し穴を握るので、手は痛い目にあうことがない構成のハンカチを提供することを目的とする。【０００８】  本考案の前記ならびにそのほかの目的と新規な特徴は、次の説明を添付図面と照らし合わせて読むならば、より完全であり、明瞭になるであろう。図面は専ら解説のためのものであって、本考案の技術的範囲を限定するものではない。
【課題を解決するための手段】
【０００９】  上記目的を達成するために、本考案では、正方形又は長方形の白いハンカチであって、ハンカチ５０の対角線上の両端に、大人の腕が通る穴５１、５２を形成してなる構成のハンカチである。
【考案の効果】
【００１０】  以下の説明から明らかになるように、本考案にあっては次に列挙する通りである。【００１１】  請求項１の本考案では、正方形又は長方形の白いハンカチであって、ハンカチ５０の対角線上の両端に、大人の腕が通る穴５１、５２を形成してなる構成のハンカチであるので、ハンカチ５０の加工は簡単である。ハンカチ５０は、従来のハンカチ同様に４つに折りたんで、開いて従来通り使用することもできる。
ハンカチ５０は、日除け用のであるので、日光を反射する白色のほうが望ましい。ハンカチ５０の両側の穴５１、５２より腕を通し自動車運転時の日除けとしても使用できる。
両方に日除けが必要な場合はハンカチ５０を２枚使用する。
ハンカチ５０の両側の穴５１、５２に腕に通して汗拭きをすることが出来る。片手に用具を持ちながらもう一方の腕に嵌めたハンカチ５０で汗を拭うことが出来る。
身長の低い子供の手を引いて散歩するときにハンカチ５０の両側の穴５１、５２を両者の手で握るので大人は腰を曲げないですむこと、大人が子供に対して、とっさの防御ができる。
レジ袋６０の取手の部分６１は細く吊り下げて持ち帰るとき、取手の部分６１細く手は痛い目にあうので取手の部分６１にハンカチ５０を通して穴５１、５２が重なるように折る。折ったハンカチ５０の両側の穴５１、５２を握るので手の痛みはなくなる。レジ袋の底面が地面を擦ることがない構成のハンカチを提供することができる。
【図面の簡単な説明】
【００１２】
【図１】本考案のハンカチの平面を示した図である。
【図２】本考案のハンカチの両側の穴にハンカチの２方向の角を挿入した斜視図を示した図である。
【図３】本考案のハンカチをレジ袋に使用した一例を示した図である。
【図４】本考案のハンカチを日除けとして腕に嵌めた状態の平面を示した図である。
【図５】本考案のハンカチの両側の穴を大人と子供が握りしめた状態の平面を示した図である。
【考案を実施するための形態】
【００１３】  以下、図面に示す実施するための形態により、本考案を説明する。
【実施例１】
【００１４】  図１〜図５に示す本考案の第１に実施するための第１の実施の形態において、図１は、本考案のハンカチの平面を示した図である。
本考案では、正方形又は長方形の白いハンカチであって、ハンカチ５０の対角線上の両端に、大人の腕が通る穴５１、５２を形成してなる構成のハンカチである。
ハンカチ５０の加工が簡単である。また、穴の代用として腕が通る２本の切れ目：スリットを計４本を両側の穴の位置に設けても良い。
ハンカチの生地は汗を拭きやすいタオル地を使用しても良い。汗を吸収しやすい白色系の布がよい。日光の吸収を避けるために反射性の強い白生地が良い。【００１５】  図２は、本考案のハンカチの両側の穴にハンカチの２方向の角を挿入した斜視図を示した図である。
ハンカチ５０の両側の穴５１、５２にハンカチの２方向の角を挿入しようとする斜視図を示している。ハンカチ５０に記載の点線５３はあるわけではなく説明上つけたものです。
点線５３に沿って穴５１、５２に挿入していないもう一方の両側にある２つの角を点線に沿って折り曲げる。ハンカチ５０の４角の折り曲げのできたハンカチ５０を、レジ袋６０の取手の部分６１に挿入して二つ折りにしてハンカチ５０の両側の穴５１、５２を握れるようにする。【００１６】  図３は、本考案のハンカチをレジ袋に使用した一例を示した図である。
本考案のハンカチ５０をレジ袋６０に使用した一例を示している。レジ袋６０とは、コンビニエンスストアやスーパーマーケット等の小売店において、購入した持ち帰り商品を入れるためにレジで渡されるビニールやポリオレフィン等の材質で作られた袋を指す通称で買物袋の一種である。
レジ袋６０の取手の部分６１にハンカチ５０を通すために前記記載の方法でハンカチ５０を二つ折りにして挿入して、ハンカチ５０の穴５１、５２を合わせて手で握り使用する。【００１７】  ［図４］は、本考案のハンカチを日除けとして腕に嵌めた状態の平面を示した図である。
正方形又は長方形の白いハンカチであって、ハンカチ５０の対角線上の両端に設けた大人の腕が通る穴５１、５２に大人の腕を通した状態を示している。
穴５１、５２に大人の腕を通したときハンカチ５０の穴５１、５２に挿入していないもう一方の両側にある２つの角は点線５５のように垂れ下がる。垂れ下がる角をハンカチ５０と腕の間に挿入してもよい。両腕に使用するときはハンカチ５０を２枚使用する。
腕のサイズに応じて各種の大きさのハンカチ５０を準備してもよい。
片手に用具を持ちながらもう一方の腕に嵌めたハンカチ５０で汗を拭うことが出来る。【００１８】  ［図５］は、本考案のハンカチの両側の穴を大人と子供が握りしめた状態の平面を示した図である。
ハンカチ５０の対角線上の両端に設けた大人の腕が通る穴５１、５２に大人の片手７０と、身長の低い子供の片手７１がハンカチ５０の穴５１、５２を握り締めている状態を示している。
【産業上の利用可能性】
【００１９】  本考案のハンカチは、該ハンカチを製造し販売する産業において利用され、日常生活に利用される。それは、コンビニエンスストアやスーパーマーケット等の小売店において、購入した持ち帰り商品を入れたレジ袋を提げるとき、腕に通し日除けとするとき、腕に通した状態で汗拭きとするとき、身長の低い子供の手を引いて散歩するときに利用される。
【図面の簡単な説明】
【符号の説明】
【００２０】５０  ハンカチ
５１  穴
５２  穴
５３  点線
５５  点線
６０  レジ袋
６１  取手の部分
７０  大人の片手
７１  子供の片手
【図１】
0003155451.tif 000003
【図２】
0003155451.tif 000004
【図３】
0003155451.tif 000005
【図４】
0003155451.tif 000006
【図５】
0003155451.tif 000007